(57)【要約】      （修正有）【課題】スポーツ障害を防止しながら、使用者が腕の筋肉、腹筋もしくは腕立て伏せ等の運動をしてトレーニングする多機能トレーニング器具を提供する。【解決手段】多機能トレーニング器具は、一対の平行なフレーム２０の一端に各々円弧形レール２１が設置される。そのうち、この一対のフレームは円弧形レールの別端に第二円弧形レール２２が設置される。また円弧形レールの頂点は平面上で支持し、各フレーム両端は、各々ハンドル２３，２４が設置される。二つの円弧形レールの間には横桿３０が設置されて二本のフレームを連接し、横桿上には支持部品４０が設置される。使用者の背部、腰部もしくは腹部を支え、手でハンドルを握り、引き上げ式、押圧式動作を行うことによって、腹筋運動、腕立て伏せ運動を行う。【選択図】図２
0003116931.tif 000002
【実用新案登録請求の範囲】
【請求項１】
一対の平行なフレームの一端に各々円弧形レールが設置される多機能トレーニング器具において、この一対のフレームは、円弧形レールの別端に第二円弧形レールが設置され、二個の円弧形レールの頂点は平面上で支持し、各フレーム両端には各々ハンドルが伸び、二本の円弧形レールの問には横桿が設置されて二本のフレームに連接し、横桿上には支持部品が設置され、その支持部品に使用者の背部、腰部もしくは腹部をのせ、手でハンドルを握って力をかけ、引き上げ式動作を行うことによって、腹筋運動もしくは腕立て伏せ運動を行うことを特徴とする多機能トレーニング器具。
【請求項２】
前記支持部品は、枢設軸で横桿上に設置することを特徴とする請求項1記載の多機能トレーニング器具。
【請求項３】
前記支持部品は、複数個のマッサージ回転輪を組み合わせることを特徴とする請求項1記載の多機能トレーニング器具。
【考案の詳細な説明】
【技術分野】
【０００１】
本考案は、多機能トレーニング器具に関するもので、スホーツ障害を防止しながら、使用者が腕の筋肉、腹筋もしくは腕立て伏せ等の運動をしてトレーニングするものである。
【背景技術】
【０００２】
一般に人は運動の時間が不足している。このため、体力が落ち、老化現象が現れ、場合によって過労死の危険も高まる。
一般のサラリーマンはオフィスで仕事する時、体は常に固定された姿勢を続けるため、腰部、啓部もしくは腕部を鍛えることがない。そこで、市場では腰部、啓部、腕部を鍛えるトレーニング器具が出ている。図1に示すとおり、一対のフレーム10の中間に支持平面がある。この一対のフレーム10の一端には各々円弧形レールが設置され、フレーム10を円弧形に回転させる。更に円弧形レール11別側にはそれぞれハンドル12が設置され、使用者が握るようになっており、更に支持台13はフレーム10の中間部位に設置され、使用者の腰部や磐部の重量を支える。このハンドル12及び支持台13は円弧形レール11と同側に設置され、ハンドル12は支持台13の円弧形レール11までの距離より遠い。
【０００３】
使用者がハンドル12に力をかけると、ハンドル12及び支持台13は円弧形レール11に相対して異なる半円形の円を描く。またこの円弧形レール11を中心にして同一方向に移動する。使用者はハンドル12を握って持ち上げたり、引っ張ったり、オール漕ぎの運動を行う。しかしながら、支持台13は使用者の腰部もしくは磐部で支え、使用者は力を強くかけることによって、ハンドル12及び支持台13が円弧形レール11を中心にして同一方向に移動するため、非常に強い力をかけなければならず、スボーツ障害の原因にもなりかねない。
【考案の開示】
【考案が解決しようとする課題】
【０００４】
解決しようとする問題点は、非常に強い力を必要とするため、無理をすると、スポーツ障害を起こしてしまう点である。
【課題を解決するための手段】
【０００５】
本考案は、一対の平行なフレームの一端に各々円弧形レールが設置される。そのうち、この一対のフレームは円弧形レールの別端に第二円弧形レールが設置される。また円弧形レールの頂点は平面上で支持し、各フレーム両端は、各々ハンドルが設置される。二つの円弧形レールの間には横桿が設置されて二本のフレームを連接し、横桿上には支持部品が設置される。使用者の背部、腰部もしくは腹部を支え、手でハンドルを握り、引き上げ式、押圧式動作を行うことによって、腹筋運動、腕立て伏せ運動を行うことを最も主要な特徴とする。
【考案の効果】
【０００６】
本考案の多機能トレーニング器具は、スポーツ障害を防ぎ、使用者が腕の筋肉、腹筋もしくは腕立て伏せ等の運動をしてトレーニングするという利点がある。
【考案を実施するための最良の形態】
【０００７】
本考案の基本構造として、図2及び図3に示すとおり、主に一対のフレーム20にそれぞれ円弧形レール21が一端に設置される。このフレーム20には円弧形レール21の別端に第二円弧形レール22が成形され、二本の円弧レール21、22の最上端を平面上で支持し、フレーム20は円弧形の軌跡を構成する。また各フレーム20の両端には別に第一、第ニハンドル23、24が伸び、二本の円弧形レール21、22の間には横桿30が設置され、二本のフレーム20を連接する。横桿30上には枢設軸(図未提示)で支持部品40が設置され、この支持部品40は、複数個のマッサージ回転輪41を組み合わせており、使用者の背部、腰部、腹部で支え、体重をこの支持部品40にかける。使用者の体が枢設軸で動くことによって、マッサージ効果が具わる。
【０００８】
使用時、図3及び図4に示すとおり、使用者は背部を支持部品40上にのせ、体重を支持部品40にかける。使用者は手で第二ハンドル24を握り、引き上げ動作を行う。すると、第ニハンドル24及び支持部品40は円弧形レール21を中心にして同一方向に移動し、腕もしくは背部の筋肉を鍛える。二つの円弧形レール21、22の頂点は平面上で支持し、背部は地面と固定距離を保ち、引き上げ動作の時に力を加減できる。
【０００９】
また、別のトレーニングとして、使用者は腰部を支持部品40上にのせる。図5及び図6に示すとおり、手で第一ハンドル23を握り、押圧式動作を行う。これによって、使用者は腹筋運動を行う。二つの円弧形レール21、22の頂点が平面上で支持し、背部は地面と固定距離を保ち、そのため押圧式動作を行う時に力を加減できる。また、図7及び図8に示すとおり、使用者は腹部を支持部品40上にのせる。手で第ニハンドル24を握り、押圧式動作を行う。これによって、使用者腕立て伏せ運動を行う。
【００１０】
本考案は、使用者がトレーニングしたい部位を異なる姿勢に調節することによって、トレーニングを行うもので、その時に運動によるダメージを防止する。
【図面の簡単な説明】
【００１１】
【図１】公知のトレーニング器具の外観構造図である。
【図２】本考案のトレーニング器具の外観構造図である。
【図３】本考案のトレーニング器具の使用状態参考図である。
【図４】本考案のトレーニング器具の使用状態参考図である。
【図５】本考案のトレーニング器具の別の使用状態参考図である。
【図６】本考案のトレーニング器具の別の使用状態参考図である。
【図７】本考案のトレーニング器具の更に別の使用状態参考図である。
【図８】本考案のトレーニング器具の更に別の使用状態参考図である。
【符号の説明】
【００１２】
10  フレーム
11  円弧形レール
12  ハンドル
13  支持台
20  フレーム
21  円弧形レール
22  第二円弧形レール
23  第一ハンドル
24  第二ハンドル
30  横桿
40  支持部品
41  マッサージ回転輪
【図１】
0003116931.tif 000003
【図２】
0003116931.tif 000004
【図３】
0003116931.tif 000005
【図４】
0003116931.tif 000006
【図５】
0003116931.tif 000007
【図６】
0003116931.tif 000008
【図７】
0003116931.tif 000009
【図８】
0003116931.tif 000010